【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
個人用熱制御装置を備える靴、ブーツまたはズボンであって、
前記装置は、
携帯式の電源と、
熱モジュールと
を備え、
前記個人用熱制御装置は、１つのみの熱モジュールを提供し、該熱モジュールは、前記電源によって電力が供給され、
前記熱モジュールに印加される第１の電圧極性によって、前記熱モジュールの第１の側の温度を増大させ、前記熱モジュールに印可される第２の電圧極性によって、前記熱モジュールの前記第１の側の温度を低下させ、
前記熱モジュールは、前記靴、ブーツまたはズボンが着用されて着用者の中核体温が変化する場合に足首の脈動位置のところで前記靴、ブーツまたはズボンに位置決めされ、
前記脈動位置は、主要な血管に近接する領域であり、
前記個人用熱制御装置は、さらに、
前記熱モジュールの前記第１の側に連結される熱伝達要素と、
前記電源および前記熱モジュールに接続されるコントローラであって、前記熱モジュールに印可される電圧を管理するコントローラと
を備える個人用熱制御装置。
【請求項２】
請求項１に記載の靴、ブーツまたはズボンであって、
前記電源は、バッテリ、再充電可能なバッテリ、または、太陽電池である
靴、ブーツまたはズボン。
装置。
【請求項３】
請求項１に記載の靴、ブーツまたはズボンであって、
前記装置は、さらに、
前記装置の動作を制御するためのオン／オフボタンと、
前記装置の状態に関する情報を表示するためのＬＥＤインディケータと、
前記電源を再充電するための充電ポートと
を備える靴、ブーツまたはズボン。
【請求項４】
請求項１に記載の靴、ブーツまたはズボンであって、
前記熱伝達要素は、金属プレートまたは熱ゲルである
靴、ブーツまたはズボン。
【請求項５】
請求項１に記載の靴、ブーツまたはズボンであって、
前記装置は、さらに、熱ゲルを収容する区画を備え、
前記区画は、前記熱伝達要素と接触する
靴、ブーツまたはズボン。
【請求項６】
請求項１に記載の靴、ブーツまたはズボンであって、
前記装置は、さらに、放熱板を備え、
前記放熱板は、前記熱モジュールの前記第１の側と反対側の第２の側に連結される
靴、ブーツまたはズボン。
【請求項７】
請求項１に記載の靴、ブーツまたはズボンであって、
前記装置は、さらに、前記熱モジュールに隣接して位置決めされる断熱材を備える
靴、ブーツまたはズボン。
【請求項８】
請求項１に記載の靴、ブーツまたはズボンであって、
前記熱モジュールは、熱電チップである
装置。
【請求項９】
請求項８に記載の装置であって、
前記熱モジュールは、さらに、抵抗加熱素子を備える
装置。
【請求項１０】
個人用熱制御装置を備えるジャケットまたはシャツであって、
前記装置は、
携帯式の再充電可能なバッテリと、
前記再充電可能なバッテリと第１の熱電チップとに接続されるコントローラであって、第１の熱電モジュールに印加される電圧を管理するコントローラと
を備え、
加温または冷却のための前記第１の熱電モジュールは、前記コントローラに接続され、
前記第１の熱電モジュールは、
前記第１の熱電モジュールの構成要素を固定するための第１のハウジングを備え、
前記第１の熱電モジュールは、前記ジャケットまたはシャツが着用されて着用者の中核体温が変化する場合に右の手首の第１の脈動位置のところで前記ジャケットまたはシャツの右の袖に位置決めされ、
前記第１の熱電チップは、前記第１のハウジング内に位置決めされるとともに、前記再充電可能なバッテリから電力が供給され、
前記第１の熱電チップは、前記ジャケットまたはシャツが着用されて着用者の中核体温が変化する場合に前記第１の脈動位置のところで前記ジャケットまたはシャツに位置決めされ、
前記第１の脈動位置は、主要な血管に近接しており、
前記第１の熱電モジュールは、さらに、前記第１の熱電チップの第１の側に連結される第１の熱伝達要素を備え、
前記装置は、さらに、加温または冷却のための第２の熱電モジュールであって、前記コントローラに接続される第２の熱電モジュールを備え、
前記第２の熱電モジュールは、前記ジャケットまたはシャツが着用されて前記着用者の中核体温が変化する場合に左の手首の第２の脈動位置のところで前記ジャケットまたはシャツの左の袖に位置決めされ、
前記第２の熱電モジュールは、
前記第１のハウジングと分離された第２のハウジングであって、前記第２の熱電モジュールの構成要素を固定する第２のハウジングと、
前記第２のハウジング内に位置決めされるとともに、前記再充電可能なバッテリから電力が供給される第２の熱電チップと
を備え、
前記第２の熱電チップは、前記ジャケットまたはシャツが着用されて前記着用者の前記中核体温が変化する場合に前記第２の脈動位置のところで前記ジャケットまたはシャツに位置決めされ、
前記第２の脈動位置は、主要な血管に近接しており、
前記第２の熱電モジュールは、さらに、前記第２の熱電チップの第１の側に連結される第２の熱伝達要素を備える
ジャケットまたはシャツ。
【請求項１１】
請求項１０に記載のジャケットまたはシャツであって、
前記装置は、さらに、前記コントローラに接続される少なくとも１つの太陽電池を備え、
前記太陽電池は、前記再充電可能なバッテリによって蓄えられるエネルギーを発生させる
ジャケットまたはシャツ。
【請求項１２】
請求項１０に記載の装置であって、
前記第１の熱伝達要素は、金属プレート、熱ゲル、または、これらの両方である
ジャケットまたはシャツ。
【請求項１３】
請求項１０に記載のジャケットまたはシャツであって、
前記装置は、さらに、放熱板を備え、
前記放熱板は、前記第１の熱電チップの前記第１の側と反対側の第２の側に連結される
ジャケットまたはシャツ。
【請求項１４】
請求項１０に記載のジャケットまたはシャツであって、
前記装置は、さらに、前記第１の熱電チップに隣接して位置決めされる断熱材を備える
ジャケットまたはシャツ。
【請求項１５】
請求項１に記載の靴、ブーツまたはズボンであって、
前記携帯式の電源は、３．７Ｖのバッテリである
靴、ブーツまたはズボン。
【請求項１６】
請求項１５に記載の靴、ブーツまたはズボンであって、
前記バッテリは、２４時間まで動作するのに十分な電力を供給する
靴、ブーツまたはズボン。
【請求項１７】
請求項１０に記載のジャケットまたはシャツであって、
前記携帯式の再充電可能なバッテリは、３．７Ｖのバッテリである
ジャケットまたはシャツ。
【請求項１８】
請求項１７に記載のジャケットまたはシャツであって、
前記バッテリは、２４時間まで動作するのに十分な電力を供給する
ジャケットまたはシャツ。
【請求項１９】
請求項１０に記載のジャケットまたはシャツであって、
前記第１の熱電モジュールは、さらに、抵抗加熱素子を備える
ジャケットまたはシャツ。
【請求項２０】
請求項１０に記載のジャケットまたはシャツであって、
前記第１の熱電モジュールは、さらに、前記第１の熱電モジュールを前記コントローラに接続するコネクタを備える
ジャケットまたはシャツ。
【手続補正２】
【補正対象書類名】明細書
【補正対象項目名】００１１
【補正方法】変更
【補正の内容】
【００１１】
［0010］次の詳細な説明によっていっそう理解されるために、本開示の様々な特徴について比較的広く概説した。本開示の追加的な特徴および利点は、本明細書で後述される。本発明は、以下の形態としても実現可能である。
［形態１］
個人用熱制御装置であって、
電源と、
前記電源によって電力が供給される少なくとも１つの熱モジュールと
を備え、
前記熱モジュールに印加される第１の電圧極性によって、前記熱モジュールの第１の側の温度を増大させ、前記熱モジュールに印可される第２の電圧極性によって、前記熱モジュールの前記第１の側の温度を低下させ、
前記個人用熱制御装置は、さらに、
前記熱モジュールの前記第１の側に連結される熱伝達要素と、
前記電源および前記熱モジュールに接続されるコントローラであって、前記熱モジュールに印可される電圧を管理するコントローラと
を備える個人用熱制御装置。
［形態２］
形態１に記載の装置であって、
前記電源は、バッテリ、充電可能なバッテリ、または、太陽電池である
装置。
［形態３］
形態１に記載の装置であって、
前記熱モジュールは、衣服が着用されたときに脈動位置の近傍にある前記衣服の領域に位置決めされる
装置。
［形態４］
形態３に記載の装置であって、
前記衣服は、ジャケット、シャツ、セーター、コート、または、リストバンドであり、
前記脈動位置は、手首領域である
装置。
［形態５］
形態３に記載の装置であって、
前記衣服はズボン、靴、または、ブーツであり、
前記脈動位置は、足首領域である
装置。
［形態６］
形態１に記載の装置であって、
さらに、前記装置の動作を制御するためのオン／オフボタンと、
前記装置の状態に関する情報を表示するためのＬＥＤインディケータと、
前記電源を再充電するための充電ポートと
を備える装置。
［形態７］
形態１に記載の装置であって、
前記熱伝達要素は、金属プレートまたは熱ゲルである
装置。
［形態８］
形態１に記載の装置であって、
さらに、熱ゲルを収容する区画を備え、
前記区画は、前記熱伝達要素と接触する
装置。
［形態９］
形態１に記載の装置であって、
さらに、少なくとも１つの追加的な熱モジュールを備え、
前記少なくとも１つの追加的な熱モジュールの各々は、前記コントローラに接続される
装置。
［形態１０］
形態１に記載の装置であって、
さらに、放熱板を備え、
前記放熱板は、前記熱モジュールの前記第１の側と反対側の第２の側に連結される
装置。
［形態１１］
形態１に記載の装置であって、
さらに、前記熱モジュールに隣接して位置決めされる断熱材を備える
装置。
［形態１２］
形態１に記載の装置であって、
前記熱モジュールは、熱電チップである
装置。
［形態１３］
形態１２に記載の装置であって、
前記熱モジュールは、さらに、抵抗加熱素子を備える
装置。
［形態１４］
個人用熱制御装置であって、
再充電可能なバッテリと、
加温または冷却のための第１の熱電モジュールと
を備え、
前記第１の熱電モジュールは、
第１のハウジングと、
前記第１のハウジング内に位置決めされる第１の熱電モジュールであって、前記再充電可能なバッテリから電力が供給される第１の熱電モジュールと、
前記熱電モジュールの第１の側に連結される第１の熱伝達要素と、
前記再充電可能なバッテリおよび前記第１の熱電モジュールに接続されるコントローラであって、前記熱電モジュールに印加される電圧を管理するコントローラと
を備える個人用熱制御装置。
［形態１５］
形態１４に記載の装置であって、
さらに、加温または冷却のための第２の熱電モジュールを備え、
前記第２の熱電モジュールは、
第２のハウジングと、
前記第１のハウジング内に位置決めされる第２の熱電モジュールであって、前記再充電可能なバッテリから電力が供給される第２の熱電モジュールと、
前記第２の熱電モジュールの第１の側に連結される第２の熱伝達要素と
を備える装置。
［形態１６］
形態１５に記載の装置であって、
前記再充電可能なバッテリおよび前記コントローラは、前記第１のハウジング内に固定される
装置。
［形態１７］
形態１５に記載の装置であって、
さらに、コントローラハウジングを備え、
前記コントローラハウジングは、前記再充電可能なバッテリおよび前記コントローラを固定する
装置。
［形態１８］
形態１４に記載の装置であって、
前記第１の熱電モジュールは、ジャケット、コート、セーター、シャツ、ヘッドバンド、リストバンド、ズボン、履き物、靴、または、ブーツに組み込まれる
装置。
［形態１９］
形態１４に記載の装置であって、
さらに、前記コントローラに接続される少なくとも１つの太陽電池を備え、
前記太陽電池は、前記再充電可能なバッテリによって蓄えられるエネルギーを発生させる
装置。
［形態２０］
形態１４に記載の装置であって、
前記第１の熱伝達要素は、金属プレート、熱ゲル、または、これらの両方である
装置。
［形態２１］
形態１４に記載の装置であって、
さらに、放熱板を備え、
前記放熱板は、前記熱モジュールの前記第１の側と反対側の第２の側に連結される
装置。
［形態２２］
形態１４に記載の装置であって、
さらに、前記熱モジュールに隣接して位置決めされる断熱材を備える
装置。
【手続補正３】
【補正対象書類名】明細書
【補正対象項目名】００４４
【補正方法】変更
【補正の内容】
【００４４】
［0053］図８は、履き物用の個人用熱制御装置の実施形態である。履き物用の一実施形態では、靴の各々は、加温／冷却モジュール８００を備えている。加温／冷却モジュール８００は、熱モジュール８１０と、コントローラボード８２０と、プレート８４０と、熱ゲルパッド８５０と、バッテリ８６０とを備え得る。上述したように、コントローラボード８２０は、加温／冷却モジュール８００の様々な機能の動作、例えば、充電、モジュールへの電力供給、動作モードなどを管理する。熱モジュール８１０は、モジュールに印可される電圧の極性に従ってプレート８４０を加温または冷却する。プレート８４０および熱ゲルパッド８５０は、ユーザの体への効率的な熱伝達を提供する。人体の特定の領域では、体への効率的な熱伝達に適した人間工学的な態様でプレート８４０を製造することが困難な場合がある。ゲルパッド８５０は、効率的な熱伝達を表示する液体またはゲル状態にある材料を有している。ゲルパッド８５０は、液体またはゲルであるので、ゲルパッドがゲルパッドの近くに位置決めされる人体の領域と、ゲルパッドそのものと、の間での広い面積での接触を提供するように容易に成形できる。いくつかの実施形態では、プレート８４０は省略されてもよく、ゲルパッド８５０は、熱伝達の主要手段として機能する。また、加温／冷却モジュール８００は、オプションとして、装置を動作させるか充電するための追加的な電力を提供するために、光起電力パッチ（図示省略）を備えていてもよい。
【手続補正４】
【補正対象書類名】明細書
【補正対象項目名】００４５
【補正方法】変更
【補正の内容】
【００４５】
［0054］図９Ａ〜９Ｃは、太陽光モジュール９００の実施形態である。太陽光に曝されることによって太陽光エネルギーを発生させる光起電力パネル９１０が個人用熱制御装置で使用されてもよい。光起電力パネル９１０は、反射性を増大させて電流の発生を最大化するために、ホログラフィー背景を備えていてもよい。ハウジング９２０は、透明なポリカーボネートなどであってもよい。ハウジング９２０にレンズ９４０を設けて、光起電力電池による電力発生を増大させるために、小さな表面領域にわたって光を拡大し、強めてもよい。例えば、レンズ９４０は、凹レンズであってもよい。縁部９３０は、ハウジング９２０の１つ以上の端部の周りに設けられる。縁部９３０は、熱電モジュール９００を衣類または衣服に縫い付けるか配置するのに利用され得る。縁部９３０は、限定はされないが、ゴム、サノプレン、ＴＰＥなどの適切な材料で形成されてもよい。いくつかの実施形態では、太陽光モジュールと、加温／冷却モジュールまたは加温／冷却モジュールの１つ以上の構成部品と、を組み合わせることが望ましい場合がある。
【手続補正５】
【補正対象書類名】図面
【補正対象項目名】図８
【補正方法】変更
【補正の内容】
【図８】
2014518336.tif 000001
【手続補正６】
【補正対象書類名】図面
【補正対象項目名】図９
【補正方法】変更
【補正の内容】
【図９】
2014518336.tif 000002